(57)【要約】【課題】ＯＴＤＲを用いた光ファイバの測定を効率的に実施する。【解決手段】  複数の局１、２相互間を光ファイバ１４で接続した光通信網における各局に、光ファイバに対して光パルス送信受信の測定を実施するＯＴＤＲ４を設け、この各局のＯＴＤＲ４に対して測定条件を設定すると共に、測定結果を収集する光ファイバ監視方法において、  一つの局のＤＴＤＲに対して監視対象の光ファイバ１４に対する測定条件の設定を行った後、このＯＴＤＲが監視対象の光ファイバに対する測定を実施している期間において、他の局のＯＴＤＲに対してこのＯＴＤＲに接続されている光ファイバに対する測定条件の設定又は測定結果の収集を行う。【選択図】      図５
2008232849.tif 000002
【特許請求の範囲】
【請求項１】
複数の局（１，２）相互間を光ファイバ（１４）で接続した光通信網における前記各局に、設定された測定条件に従って該各局に接続された光ファイバに対して光パルス（６）を送信して後方散乱光を測定する光パルス試験器（４）を設け、この各局の光パルス試験器に対して通信回線（９）を介して測定条件を設定すると共に、前記各光パルス試験器から測定結果を収集する光ファイバ監視方法であって、
一つの局の光パルス試験器に対して監視対象の光ファイバに対する測定条件の設定を行う段階と、この光パルス試験器を用いて前記監視対象の光ファイバに対する前記測定を行う段階と、前記測定を実施している期間に、他の局の光パルス試験器に対してこの光パルス試験器に接続されている光ファイバに対する前記測定条件の設定又は前記測定結果の収集を行う段階とを備えたことを特徴とする光ファイバ監視方法。
【請求項２】
複数の局（１，２）相互間を光ファイバ（１４）で接続した光通信網における前記各局に設けられ、設定された測定条件に従って該各局に接続された光ファイバに対して光パルス（６）を送信して後方散乱光を測定する複数の光パルス試験器（４）と、前記各局の光パルス試験器に対して通信回線（９）を介して接続され、前記各光パルス試験器に対して測定条件を設定すると共に、前記各光パルス試験器から測定結果を収集する中央制御部（１６）とを備えた光ファイバ監視システムであって、
前記中央制御部（１６）は、一つの前記局の光パルス試験器に対して監視対象の光ファイバｂに対する測定条件の設定を行った後、この光パルス試験器が前記監視対象の光ファイバに対する前記測定を実施している期間に、他の前記局の光パルス試験器に対してこの光パルス試験器に接続されている光ファイバに対する前記測定条件の設定又は前記測定結果の収集を行うことを特徴とする光ファイバ監視システム。
【請求項３】
前記各局に設けられた光パルス試験器（４）には、光スイッチ（５）を介して複数の光ファイバ（１４）が択一的に接続され、
前記中央制御部（１６）は、
前記各光パルス試験器内の測定パラメータと所属する前記複数の光ファイバの測定順序とを含む測定条件を記憶する測定条件テーブル（２２）と、
次に測定条件の設定を行う前記パルス試験器を同一光パルス試験器に所属する光ファイバの測定順序を維持した状態で、待ち時間が最小となるように決める測定光パルス試験器決定部（２６）とを備えた
ことを特徴とする請求項２記載の光ファイバ監視システム。
【請求項４】
前記各局に設けられた光パルス試験器には、光スイッチを介して複数の光ファイバが択一的に接続され、
前記中央制御部（１６）は、
前記各光パルス試験器内の測定パラメータと所属する前記複数の光ファイバの測定順序とを含む測定条件を記憶する測定条件テーブル（２２）と、
前記一つの局の光パルス試験器に対する一つの光ファイバの測定条件の設定が終了してから、当該光ファイバの測定終了後の測定結果の収集のためのポーリング時刻を算出するポーリング時刻算出手段（２８）と、
前記測定結果の収集開始迄の処理待ち期間において、現在時刻がポーリング時刻を経過している光ファイバが所属する光パルス試験器へポーリングを行うポーリング実行部（２９）と、
当該光ファイバの測定結果を収集する測定結果収集手段（３０）とを有する
ことを特徴とする請求項２記載の光ファイバ監視システム。
【発明の詳細な説明】
【技術分野】
【０００１】
本発明は、複数の局相互間を光ファイバで接続した光通信網における各局相互間を接続する各光ファイバの状態を監視する光ファイバ監視方法、及び光ファイバ監視システムに関する。
【背景技術】
【０００２】
複数の局相互間を光ファイバで接続した光通信網における各局相互間を接続する光ファイバの状態を監視する光ファイバ監視システムは、例えば、図１２に示すように構成されている。
【０００３】
中央局１、及び各地方局２には、各局相互間を接続する各光ファイバ３の伝送特性、減衰特性、正常・異常の故障判定、断線位置等を測定する光パルス試験器（ＯＴＤＲ  Optical Time Domain Reflect meter  以下、ＯＴＤＲと略記する）４が設けられている。ＯＴＤＲ４は、光スイッチ５で選択された１本の光ファイバ３に対して、図１３に示す光パルス６を印加して、この光パルス６に対する後方散乱光７を測定する。そして、この後方散乱光７の波形から、光ファイバ３の伝送特性、減衰特性、断線の有無、断線位置等を測定する。測定結果は、中央局１、地方局２内に設けられた例えばパーソナルコンピュータ（ＰＣ）からなる監視端末８で集計される。
【０００４】
この監視端末８は、光スイッチ５を介してＯＴＤＲ４に接続される光ファイバ３を順番に選択していくとともに、ＯＴＤＲ４に選択された光ファイバ３に対する測定条件を設定する。
【０００５】
図１３は、１つの光ファイバ３に対する測定シーケンス図である。最初に、測定条件設定時間ＴSにて監視端末８から測定条件を設定し、測定時間Ｔｍにて前述した測定を実施する。次のデータ送信時間ＴDにて測定結果を監視端末８へ送信する。
【０００６】
ここで、測定条件設定時間ＴS、及びデータ送信時間ＴDは全部の光ファイバ３に対して、ほぼ一定時間であるが、測定時間Ｔｍは測定対象の光ファイバ３の長さ（敷設距離、又は距離スパン）に応じて大きく変化する。一般的に、後方散乱光７の光強度は低いので、光パルス６を一定の送信間隔ＴLで、例えばＮ＝１２０００回、繰返し送信して、得られたＮ個の後方散乱光７の平均波形を測定結果としている。具体的には、順次得られる後方散乱光７を例えば１００００回加算していき、加算値の桁位置を移動させる。
【０００７】
光ファイバ３の長さが長いと後方散乱光７が得られる時間に対応する光パルス６の送信間隔ＴLが長くなるので、測定時間Ｔｍが長くなり、全体の測定所要時間ＴAが長くなる。
【０００８】
測定所要時間ＴA毎に各光ファイバ３の測定結果をＯＴＤＲ４から受信した、各局１、２の監視端末８は、各局１、２間に敷設された通信用のＬＡＮ等の通信回線９を介して、中央局１内に設けられた中央監視装置１０に送信する。
【０００９】
その結果、中央局１内に駐在する監視員は、中央監視装置１０でもって、複数の局１、２相互間を光ファイバ３で接続した光通信網における、各光ファイバ３の伝送特性、減衰特性、断線の有無、断線位置等を監視できる。
【００１０】
また、特許文献１には、光ファイバ線路網の基幹局舎内に設置された光ファイバ測定装置は、光ファイバの芯線を選択して、ＯＴＤＲを制御して、選択された芯線に対する測定を実施すると共に、通信網を介して、移動型監視装置から光ファイバ測定装置をアクセスして、光ファイバの状態を遠隔監視可能とする技術が開示されている。
【特許文献１】特開２０００−１９３５５５号公報
【発明の開示】
【発明が解決しようとする課題】
【００１１】
しかしながら、図１１に示す従来の光ファイバの監視システムにおいても、まだ解消すべき次のような課題があった。
【００１２】
すなわち、各局１、２毎に、ＯＴＤＲ５と、このＯＴＤＲ５に各光ファイバ３の測定条件設定、測定結果収集する例えばＰＣ等からなる監視端末８が設置されている。このように、各局１、２毎にＰＣ等からなる監視端末８を設置すると、光ファイバ監視システム全体の製造費が上昇する。さらに、この監視端末８は設置費用を節減するために、市販のパーソナルコンピュータをそのまま採用しているが、市販のパーソナルコンピュータに組込まれているＯＳ（オペレーティング・システム）は、測定専用端末に比較して信頼性に懸念がある。
【００１３】
このような不都合を解消する一つの手法として、各局１、２に設置されている監視端末８を撤去して、中央局１内に設置された１台の中央監視装置１０でＬＡＮ等の通信回線９を介して各局１、２のＯＴＤＲ４を直接制御することが考えられる。
【００１４】
しかし、１台の中央監視装置１０で通信回線９を介して同時に複数のＯＴＤＲ４を制御できないので、各局１、２が組込まれた通信網全体の光ファイバ３の伝送特性、減衰特性、断線の有無、断線位置等の監視に多大の時間を浪費する。
【００１５】
例えば、図１３の測定シーケンスにおいて、測定条件設定時間ＴS＝０．１ｓ、データ転送時間ＴD＝０．１５ｓ、光ファイバ３の長さに対応する光パルス６のパルス送信間隔ＴL＝０．０１ｓ、繰り返し回数Ｎ＝１２万回とすると、測定所要時間Ｔｍ＝１２０ｓ＝２分となる。さらに、測定対象の光ファイバ３の全本数ＮP＝５００本とすると、光通信網における各局相互間を接続する全部の光ファイバ３の測定に要する総時間ＴAALは１０００分＝１６．７時間となる。
【００１６】
本発明はこのような事情に鑑みてなされたものであり、通信網の各局の光ファイバに対するＯＴＤＲによる光パルスの送受信の測定時間をほとんど増加することなく、各局に配設した監視端末を除去でき、システム構成の簡素化、設備費用の節減、信頼性の向上を図ることができる光ファイバ監視方法、及び光ファイバ監視システムを提供することを目的とする。
【課題を解決するための手段】
【００１７】
上記課題を解決するために本発明は、複数の局相互間を光ファイバで接続した光通信網における各局に、設定された測定条件に従って該各局に接続された光ファイバに対して光パルスを送信して後方散乱光を測定する光パルス試験器を設け、この各局の光パルス試験器に対して通信回線を介して測定条件を設定すると共に、各光パルス試験器から測定結果を収集する光ファイバ監視方法であって、
一つの局の光パルス試験器に対して監視対象の光ファイバに対する測定条件の設定を行う段階と、この光パルス試験器を用いて監視対象の光ファイバに対する測定を行う段階と、測定を実施している期間に、他の局の光パルス試験器に対してこの光パルス試験器に接続されている光ファイバに対する測定条件の設定又は測定結果の収集を行う段階とを備えたことを特徴とする光ファイバ監視方法である。
【００１８】
また、別の発明は、複数の局相互間を光ファイバで接続した光通信網における各局に設けられ、設定された測定条件に従って該各局に接続された光ファイバに対して光パルスを送信して後方散乱光を測定する複数の光パルス試験器と、各局の光パルス試験器に対して通信回線を介して接続され、各光パルス試験器に対して測定条件を設定すると共に、各光パルス試験器から測定結果を収集する中央制御部とを備えた光ファイバ監視システムであって、
中央制御部は、一つの局の光パルス試験器に対して監視対象の光ファイバｂに対する測定条件の設定を行った後、この光パルス試験器が監視対象の光ファイバに対する測定を実施している期間に、他の局の光パルス試験器に対してこの光パルス試験器に接続されている光ファイバに対する測定条件の設定又は測定結果の収集を行うことを特徴とする光ファイバ監視システムである。
【００１９】
このように構成された光ファイバ監視方法、及び光ファイバ監視システムにおいては、各局に配設されたＯＴＤＲが各光ファイバに対して行う測定条件設定、測定、測定結果収集（転送）の３つの時間からなる測定シーケンスのうちの、測定条件設定と測定結果収集は通信回線を介して例えば、外部から制御が必要であるが、測定はＯＴＤＲ単独の測定処理である。この測定時間は、他の測定条件設定、測定結果収集に比較して格段に長い。
【００２０】
したがって、この測定時間において、中央制御部は、他の局のＯＴＤＲに対して、測定条件設定、測定結果収集を実施できるので、空き時間を有効に使用できるので、たとえ１台の中央制御部であっても、各ＯＴＤＲの稼働率を向上して、各光ファイバの測定を効率的に実施できる。
【００２１】
さらに、別の発明は上記発明の光ファイバ監視システムにおいて、各局に設けられた光パルス試験器には、光スイッチを介して複数の光ファイバが択一的に接続されている。さらに、中央制御部には、各光パルス試験器内の測定パラメータと所属する複数の光ファイバの測定順序とを含む測定条件を記憶する測定条件テーブルと、次に測定条件の設定を行うパルス試験器を同一光パルス試験器に所属する光ファイバの測定順序を維持した状態で、待ち時間が最小となるように決める測定光パルス試験器決定部とを備えている。
【００２２】
このように構成された光ファイバ監視システムにおいては、各局のＯＴＤＲには光スイッチを介して複数の光ファイバが択一的に接続されている。敷設距離が異なると、前述したように、光パルスのパルス送信間隔ＴLが変わり、測定時間Ｔｍが変化する。測定時間Ｔｍが変化すると、各光ファイバの測定所要時間ＴAがまちまちになるので、同一ＯＴＤＲに所属する各光ファイバに対する測定を測定順序を維持した条件で詰め合わせることによって、全体の測定時間を短縮できる。
【００２３】
また、別の発明は、上述した発明の光ファイバ監視システムにおいて、各局に設けられた光パルス試験器には、光スイッチを介して複数の光ファイバが択一的に接続される。さらに、中央制御部は、各光パルス試験器内の測定パラメータと所属する複数の光ファイバの測定順序とを含む測定条件を記憶する測定条件テーブルと、一つの局の光パルス試験器に対する一つの光ファイバの測定条件の設定が終了してから、当該光ファイバの測定終了後の測定結果の収集のためのポーリング時刻を算出するポーリング時刻算出手段と、測定結果の収集開始迄の処理待ち期間において、現在時刻がポーリング時刻を経過している光ファイバが所属する光パルス試験器へポーリングを行うポーリング実行部と、当該光ファイバの測定結果を収集する測定結果収集手段とを有する。
【００２４】
このように構成された光ファイバ監視システムにおいては、中央制御部が各ＯＴＤＲに対して各光ファイバの測定結果の収集に行くタイミングを示すポーリング時刻がその都度算出されるので、中央制御部が各ＯＴＤＲに対して各光ファイバの測定結果の収集に行ったが、まだ測定中であり、測定結果を収集できなかった事態の発生率を低下でき、中央制御部の処理効率を向上できる。
【発明の効果】
【００２５】
本発明の光ファイバ監視システムでは、全光ファイバの測定が一巡するのに要する時間を増加させることなく、各局に配設した監視端末を除去できることにより、システム構成の簡素化、設備費用の節減、信頼性の向上を図ることができる。
【発明を実施するための最良の形態】
【００２６】
以下、本発明の一実施形態を図面を用いて説明する。
【００２７】
図１は、本発明の一実施形態に係わる光ファイバ監視方法が適用される光ファイバ監視システムが組込まれた光通信網の概略構成図である。図１２と同一部分には、同一符号が付してある。
【００２８】
中央局１、及び複数の地方局２からなる光通信網における各局１、２相互間には各光ファイバケーブル１２が敷設されている。図２は中央局１の模式図であり、図３は各地方局２の模式図である。各光ファイバケーブル１２は、図２、図３に示すように、例えば１０００本等の実際に光通信に使用される多数の光ファイバ１３と、光ファイバケーブル１２全体の監視用に使用される１本の光通信に使用されない「ダークファイバ」と称される光ファイバ１４とで構成されている。
【００２９】
各光ファイバケーブル１２を構成する多数の光ファイバ１３は、局１、２内に設けられた交換装置１５に接続されている。一方、各光ファイバケーブル１２の監視用に使用される１本の光ファイバ１４は光スイッチ５を介してＯＴＤＲ４に接続される。各光ファイバケーブル１２の敷設距離は局間距離Ｌに応じて変化し、一定でないので、光スイッチ５で択一的にＯＴＤＲ４に接続される各光ファイバ１４の長さも一定しない。なお、局１、２相互間を接続する光ファイバケーブル１２の監視用に使用される光ファイバ１４は、いずれか一方の局のＯＴＤＲ４にのみ接続され、他端は開放されている。
【００３０】
ＯＴＤＲ４内には、図２に示すように、各局１、２間に敷設された通信用のＬＡＮ等の通信回線９を介して中央局１内に設けられた中央制御部１６と通信を行うための通信ＩＦ（インタフェース）１７、中央制御部１６から設定された各光ファイバ１４に対する測定条件を記憶する測定条件メモリ３３、光スイッチ５で選択された１本の光ファイバ１４に対して、図７（ａ）に示す光パルス６を印加して、この光パルス６に対する後方散乱光７を測定する測定部３４、この測定部３４の測定結果を通信ＩＦ１７を介して中央局１の中央制御部１６へ送信すると共に、中央局１の中央制御部１６から指定された光ファイバ１４の選択指令を自己の光スイッチ５へ送出する制御部３５が設けられている。
【００３１】
図４は、図１の光通信網に組込まれた光ファイバ監視システムを抽出して示す模式図である。中央局１内に設けられた中央制御部１６がＬＡＮ等の通信回線９を介して各局１、２内に設けられた各ＯＴＤＲ４の動作を直接制御する。この実施形態の光ファイバ監視システムにおいては中央局１を含めてｎ個の局１、２が設置されている。したがって、中央制御部１６は通信回線９を介してｎ個のＯＴＤＲ４を制御する。図１２に示す従来の光ファイバ監視システムに比較して、各局１、２に設けられた監視端末８が除去されていることが理解できる。
【００３２】
図５は中央局１内に設けられたコンピユータ等の情報処理装置で構成された中央制御部１６の概略構成を示すブロック図である。
【００３３】
この中央制御部１６内には、各局１、２内に設けられたＯＴＤＲ４と通信回線９を介して各種情報交換を行う通信インタフェース１７、操作部１８、表示部１９、現在時刻ｔを計時する時計回路２０、及びＨＤＤ（ハード・ディスク・ドライバ）等の記憶部２１等が設けられている。記憶部２１内には、測定条件テーブル２２、ファイバ測定状態テーブル２３、データファイル２４等が設けられている。
【００３４】
測定条件テーブル２２内には、図６に示すように、各局１、２内に設けられたＯＴＤＲ４に光スイッチ５を介して接続された各光ファイバ１４に対する光パルス６の送受信の測定条件が記憶されている。各光ファイバ１４に対する測定条件としては、当該光ファイバ１４が所属する光ファイバケーブル１２の敷設距離（距離レンジ）Ｌに対応した光パルス６のパルス送信間隔ＴL、パルス幅ＴW、繰返し送信回数Ｎに等しい後方散乱光７の受信回数である平均化回数ＮA、測定時間Ｔｍが設定されている。
【００３５】
なお、測定時間Ｔｍについては、予め設定せずに、他の測定条件から算出することもできる。さらに、自己が所属するＯＴＤＲ４内での測定順序を示す光ファイバ番号（Ｆ11、Ｆ12、Ｆ13、…、Ｆ21、Ｆ22、…）が付されている。
【００３６】
ここで、各局１、２におけるＯＴＤＲ４の測定部３４の光ファイバ１４に対する測定の詳細を説明する。前述したように各ＯＴＤＲ４の測定部３４は、図７（ａ）に示すように、光パルス６をＮ回繰り返し、測定体対象の光ファイバ１４に印加すると、ＯＴＤＲ４の測定部３４には、図７（ｂ）に示す後方散乱光７が光ファイバ１４から順次入射される。ＯＴＤＲ４の測定部３４は、順次入射される後方散乱光７の波形を順次加算していく。
【００３７】
そして、Ｎ個の光パルス６の印加が終了した時点で、Ｎ個の後方散乱光７の波形の加算が終了して、Ｎに等しい平均化数Ｎａで除算して、後方散乱光７の平均波形を求めて、この平均波形を当該光ファイバ１４の測定結果とする。実際には、Ｎを１０nとして、小数点位置の移動のみとする。測定時間Ｔｍは、パルス送信間隔ＴLに送信回数Ｎ（＝Ｎａ）を乗算した値である（Ｔｍ＝ＴL×Ｎ）。
【００３８】
図７（ｃ）に１つの光ファイバ１４に対する測定シーケンス図を示す。最初に、測定条件設定時間ＴSにて中央制御部１６から通信回線９を介して測定条件を設定し、測定時間Ｔｍにて前述したＮ個の光パルス６の印加による測定を実施する。次のデータ転送時間ＴDにて測定結果を、通信回線９を介して中央制御部１６へ送信する。なお、この実施形態においては、測定時間Ｔｍが終了した時点で、必ずしも次のデータ転送時間ＴDが開始されるとは限らないので、たとえ測定時間Ｔｍが等しい光ファイバ１４であっても、測定所要時間ＴAが変化する場合もある。
【００３９】
ファイバ測定状態テーブル２３内には、図８に示すように、各局１、２内に設けられたＯＴＤＲ４に光スイッチ５を介して接続される各光ファイバ１４が、ＯＴＤＲ４内における測定順序（Ｆ11、Ｆ12、…、Ｆ21、Ｆ22、…、Ｆn1、Ｆn2、…）が付されて記憶されている。
【００４０】
さらに、各光ファイバ１４における測定時間Ｔｍ、当該光ファイバ１４が所属するＯＴＤＲ４において自己が次の測定順序になって、測定条件の設定待ちになったことを示す設定待ちフラグＦrが記憶されている。したがって、この光ファイバ監視システムにおける測定開始前には、各ＯＴＤＲ４に所属する複数の光ファイバ１４における先頭の光ファイバ１４（Ｆ11、Ｆ21、…、Ｆn1）に対して設定待ちフラグＦrが記憶されている。
【００４１】
さらに、ファイバ測定状態テーブル２３内には、自己の光ファイバ１４に対する測定時間Ｔｍが終了して、測定結果を中央制御部１６へ送信（転送）する場合に、中央制御部１６が当該光ファイブ１４に送信するポーリングのポーリング時刻ｔPが記憶されている。このポーリング時刻ｔPは設定時間ＴSが終了した時点で時計回路２０の現在時刻ｔに測定時間Ｔｍを加算した時刻である。
【００４２】
ｔP=ｔ＋Ｔｍ
データファイル２４内には、図９に示すように、各局１、２内に設けられたＯＴＤＲ４に光スイッチ５を介して接続される各光ファイバ１４の測定結果（後方散乱光７の平均波形）が、取得月日が付されて記憶される。
【００４３】
図５の中央制御部１６内には、アプリケーションプログラム上に形成された、ＯＴＤＲカウンタ２５、測定光パルス試験器決定部２６、測定条件設定部２７、ポーリング時刻算出部２８、ポーリング実行部２９、測定果収集手段３０、設定待ちフラグ設定部３１、解析部３２等が設けられている。
【００４４】
次に、各部の動作を順番に説明して行く。例えばキーボードやマウス等で形成された操作部１８は、中央局１に勤務している保守管理者や光ファイバーケーブル１２の点検員による各種操作を受入れる。例えば、測定開始が操作入力されると、ＯＴＤＲカウンタ２５，測定光パルス試験器決定部２６を起動する。
【００４５】
ＯＴＤＲカウンタ２５は、測定開始が操作部１８から指示されると、ファイバ測定状態テーブル２３の各ＯＴＤＲ４の番号ＤＲを順番に読み出して、測定光パルス試験器決定部２６へ送出する。なお、このＯＴＤＲ４の番号ＤＲの読出しは、各ＯＴＤＲ４における先頭の光ファイバ１４に対する測定が終了した時点で停止する。
【００４６】
測定光パルス試験器決定部２６は、ＯＴＤＲカウンタ２５から送出された番号ＤＲのＯＴＤＲ４に接続された先頭の光ファイバ１４を指定し、測定条件設定部２７へ送出する。すなわち、最初に、先頭の各光ファイバ１４（Ｆ11、Ｆ21、…、Ｆn1）を順番に測定すべき光ファイバと決定して測定条件設定部２７へ送出する。それ以降は、ファイバ測定状態テーブル２３に設定されている各光ファイバ１４の設定待ちフラグの設定状況に応じて、その時点でこの中央制御部１６が最も無駄のない、時間軸上で空き時間が最小となる、光ファイバ１４を測定光ファイバと決定して、測定条件設定部２７へ送出する。
【００４７】
すなわち、測定光パルス試験器決定部２６は、最も無駄のない、時間軸上で空き時間が最小となる、測定対象の光ファイバ１４が所属するＯＴＤＲ４を決定することになる。
【００４８】
測定条件設定部２７は、測定光パルス試験器決定部２６で決定された光ファイバ１４の測定条件（パルス送信間隔ＴＬ、パルス幅ＴW、平均化回数Ｎａ）を、通信回線９を介して、該当光ファイバ１４が所属するＯＴＤＲ４の測定条件メモリ３３に設定する。測定条件メモリ３３に測定条件が設定されたＯＴＤＲ４は、設定された測定条件に基づいて、当該光ファイバ１４に対する測定を開始する。測定条件設定部２７は、測定条件の設定が終了すると、当該光ファイバ１４の設定待ちフラグを解除し、ポーリング時刻算出部２８を起動する。
【００４９】
ポーリング時刻算出部２８は、時計回路２０から読取った現在時刻ｔに、測定条件テーブル２２に記憶された当該光ファイバ１４の測定時間Ｔｍを加算した時刻をポーリング時刻ｔPとして、ファイバ測定状態テーブル２３の当該光ファイバ１４の領域に書込む。
【００５０】
ポーリング実行部２９は、ファイバ測定状態テーブル２３にポーリング時刻ｔPが設定されているか否かを調べ、設定されていた場合は、現在時刻ｔがこのポーリング時刻ｔPを超えている条件で、かつ、現在時刻ｔが最も大きく超えているポーリング時刻ｔPが設定されている光ファイバ１４のＯＴＤＲ４へ測定結果の送信に対するポーリングを行う。送信可能のポーリング結果が得られると、この送信可能のポーリング結果を測定果収集手段３０へ送出する。
【００５１】
測定果収集手段３０は、送信可能のポーリング結果の光ファイバ１４のＯＴＤＲ４へ、測定結果の送信要求を送信する。送信要求を受信したＯＴＤＲ４は制御部３５に記憶保持している測定結果を通信回線９を介して中央制御部１６へ送信（転送）する。測定結果を受信した測定果収集手段３０は、この測定結果をデータファイル２４内の新規領域に時計回路２０の現在時刻ｔ（取得時刻）と共に書込む。さらに、測定果収集手段３０は、設定待ちフラグ設定部３１を起動する。
【００５２】
設定待ちフラグ設定部３１は、ファイバ測定状態テーブル２３の該当光ファイバ１４の同一ＯＴＤＲ４内の次の光ファイバ１４に設定待ちフラグを設定する。
【００５３】
解析部３２は、光ファイバ監視システムにおける全部の光ファイバ１４に対する測定が終了した後に、操作部１８を介した管理者からの指示に基づいて、データファイル２４に記憶されている各光ファイバ１４の測定結果を用いた光通信網全体に対する解析を実施し解析結果を表示部１９に表示する。
【００５４】
このように構成された中央制御部１６は、図１０の流れ図に従って、各光ファイバ１４に対する測定制御を実施する。
【００５５】
管理者が操作部１８を介して、各光ファイバ１４の測定条件を入力すると（ステップＳ１）、この各測定条件を測定条件テーブル２２に設定する（Ｓ２）。又、ファイバ測定状態テーブル２３に測定時間Ｔｍ、設定待ちフラグＦｒを設定する。操作部１８から、測定開始指令が入力されると（Ｓ３）、ＯＴＤＲカウンタ２５の番号ＤＲを初期化する（ＤＲ＝１）（Ｓ４）。測定条件データテーブル２２の番号ＤＲのＯＴＤＲの先頭の光ファイバ１４の測定条件を読み出して、当該ＯＴＤＲ４の測定条件メモリ３２へ設定（ダウンロード）する（Ｓ５）。そして、当該ＯＴＤＲ４に測定開始させる（Ｓ６）。さらに、現在時刻ｔに測定時間Ｔｍを加算した、ポーリング時刻ｔP（＝ｔ＋Ｔｍ）を算出して、ファイバ測定状態テーブル２３の該当光ファイバ１４に設定する（Ｓ７）。そして、当該光ファイバ１４の設定待ちフラグを解除する。
【００５６】
以上で、１つの光ファイバ１４に対する測定開始処理が終了したので、ＯＴＤＲ４の番号ＤＲがＯＴＤＲ４の設置台数ｎを超えていないことを確認すると（Ｓ８）、ＯＴＤＲカウンタ２５の番号ＤＲを更新（ＤＲ＝ＤＲ＋１）して（Ｓ９）、Ｓ５へ戻り、更新後の番号ＤＲのＯＴＤＲの先頭の光ファイバ１４の測定条件に対する設定処理を開始する。
【００５７】
Ｓ８にてＯＴＤＲの番号ＤＲがＯＴＤＲの設置台数ｎに達した場合は、ｎ台の各ＯＴＤＲ４の先頭の各光ファイバ１４（Ｆ11、Ｆ21、…、Ｆn1）に対する測定条件設定が終了したので、ファイバ測定状態テーブル２３内に、ポーリング時刻ｔPが設定されているか否かを調べる（Ｓ１０）。設定されていれば、現在時刻ｔがこのポーリング時刻ｔPを超えている条件（Ｓ１１）で、かつ、現在時刻ｔが最も大きく超えているポーリング時刻ｔPが設定されている（Ｓ１２）、光ファイバ１４のＯＴＤＲ４へ測定結果の送信に対するポーリングを行う（Ｓ１３）。送信可能のポーリング結果が得られると（Ｓ１４）、当該ＯＴＤＲ４から測定結果を受信して（Ｓ１５）、データファイル２４へ書込む（Ｓ１６）。
【００５８】
そして、ファイバ測定状態テーブル２３の該当光ファイバ１４のポーリング時刻ｔPをクリアする（Ｓ１７）。さらに、当該光ファイバ１４の同一ＯＴＤＲ４内に次の番号の光ファイバ１４が存在すれば（Ｓ１８）、その次の番号の光ファイバ１４に設定待ちフラグを設定する（Ｓ１９）。そして、Ｓ１８にて、次の番号の光ファイバ１４が存在しなければ、該当ＯＴＤＲ４に接続された全部の光ファイバ１４に対する測定が終了したので、そのままＳ１０へ戻る。
【００５９】
Ｓ１４にて、送信可能のポーリング結果が得られないと、Ｓ２０にて、ファイバ測定状態テーブル２３内に、設定待ちフラグが設定された光ファイバ１４があるか否かを調べる。あれば、測定条件テーブル２２の当該光ファイバ１４の測定条件を読み出して、当該ＯＴＤＲ４の測定条件メモリ３２へ設定（ダウンロード）する（Ｓ２１）。そして、当該ＯＴＤＲ４に測定開始させる（Ｓ２２）。さらに、現在時刻ｔに測定時間Ｔｍを加算した、ポーリング時刻ｔP（＝ｔ＋Ｔｍ）を算出して、ファイバ測定状態テーブル２３の該当光ファイバ１４に設定する（Ｓ７）。そして、当該光ファイバ１４の設定待ちフラグを解除する。その後、Ｓ１０へ戻る。
【００６０】
さらに、現在時刻ｔがＳ１１にてポーリング時刻ｔPを超えていない場合も、Ｓ２０へへ進む。Ｓ２０にて、ファイバ測定状態テーブル２３内に、設定待ちフラグが設定された光ファイバ１４がなければ、光ファイバ監視システムにおける全部の光ファイバ１４に対する測定が終了したので、Ｓ３へ戻り、管理者の操作待ちとなる。
【００６１】
図１１は、測定動作を示すタイムチャートである。時刻Ｂ1にて、測定開始されると、最初に、番号ＤＲ＝１〜ＤＲ＝ｎの各ＯＴＤＲ４に接続された先頭の各光ファイバ１４（Ｆ11、Ｆ21、…、Ｆn1）の測定条件が順次設定され、順次測定が開始される。ｎ番のＯＴＤＲ４の先頭の光ファイバ１４（Ｆn1）の測定条件の設定が終了した時刻Ｂ2にて、現在時刻ｔが最も大きく超えているポーリング時刻ｔPが設定されている１番のＯＴＤＲ４の先頭の光ファイバ１４（Ｆ11）に対してポーリングを行い。１番のＯＴＤＲ４から先頭の光ファイバ１４（Ｆ11）の測定結果を取込む。
【００６２】
光ファイバ１４（Ｆ11）の測定結果の転送が終了した時刻Ｂ3にて、同一ＯＴＤＲ４の２番目の光ファイバ１４（Ｆ12）に設定待ちフラグＦｒが設定される。そして、時刻Ｂ3にて、ポーリング時刻ｔPに従って、２番のＯＴＤＲ４の先頭の光ファイバ１４（Ｆ21）の測定結果の転送を開始する。
【００６３】
しかし、時刻Ｂ4にて、光ファイバ１４（Ｆ21）の測定結果の転送が終了した時点においては、現在時刻ｔが超えているポーリング時刻ｔPが設定されている光ファイバ１４が存在しないので、設定待ちフラグＦｒが設定されている１番のＯＴＤＲ４の２番目の光ファイバ１４（Ｆ12）に対する測定条件の設定を行う。
【００６４】
さらに、１番のＯＴＤＲ４の２番目の光ファイバ１４（Ｆ12）に対する測定条件の設定が終了した時刻Ｂ5においては、（ｎ−１）番のＯＴＤＲ４の１番目の光ファイバ１４（Ｆn-1 1）に現在時刻より前のポーリング時刻ｔPが設定されているので、この（ｎ−１）番のＯＴＤＲ４に対するポーリングを実施したが、この光ファイバ１４（Ｆn-1 1）に対する測定が終了していない。この場合次に優先度が高い、３番目の光ファイバ１４（Ｆ31）に対して、ポーリングを実施して、測定結果の転送を行う。
【００６５】
このように構成された光ファイバ監視方法が組込まれた光ファイバ監視システムにおいては、図７（ｃ）に示すように、１つの光ファイバ１４に対する測定シーケンスは、中央制御部１６から通信回線９を介して測定条件が設定される測定条件設定時間ＴSと、ＯＴＤＲ４にて測定を実施する測定時間Ｔｍと、測定結果を中央制御部１６へ送信する送信時間ＴDとで構成されるが、測定時間Ｔｍは通信回線９及び中央制御部１６は関与しない。
【００６６】
したがって、中央制御部１６は、この測定時間Ｔｍを他のＯＴＤＲ４に対する測定条件の設定、及び測定結果の収集（転送）に利用できるので、光ファイバ監視システムの各光ファイル１４の測定作業能率を大幅に向上できる。
【００６７】
特に、測定時間Ｔｍは設定時間ＴS、送信（送信）時間ＴDに比較して桁違いに大きいので、この測定時間Ｔｍを有効利用することによって、より一層、測定効率を向上できる。
【００６８】
さらに、中央制御部１６が各ＯＴＤＲ４に対して各光ファイバ１４の測定結果の収集に行くタイミングを示すポーリング時刻ｔPが測定条件を設定した時点で算出して、ファイバ測定状態テーブル２３に登録して、各光ファイバ１４に対する設定、転送（収集）の各処理が終了する毎に、ポーリング時刻ｔPを参照して、測定結果の収集に向かうようにしている。したがって、中央制御部１６が各ＯＴＤＲ４に対して各光ファイバの測定結果の収集に行ったが、まだ測定中であり、測定結果を収集できなかった事態の発生率を低下でき、中央制御部の処理効率を向上できる。
【００６９】
このように、各光ファイバ１４の測定結果の収集に行くタイミングを示すポーリング時刻ｔPを採用することによって、各ＯＴＤＲ４にたとえ長さが異なる複数の光ファイバ１４が接続されていたとしても、各光ファイバ１４の測定を効率的に実施できる。
【００７０】
なお、本発明は上述した実施形態に限定されるものではない。実施形態では、ポーリングにより測定の終了を検出していたが、ＯＴＤＲ自身が測定終了を通知する機能を有していてもよい。
【図面の簡単な説明】
【００７１】
【図１】本発明の一実施形態の光ファイバ監視方法が適用される光ファイバ監視システムが組込まれた光通信網を示す図
【図２】光通信網の中央局の概略構成図
【図３】光通信網の地方局の概略構成図
【図４】光通信網から抽出した光ファイバ監視システムの模式図
【図５】光ファイバ監視システムに組み込まれた中央制御部の概略構成を示すブロック図
【図６】同中央制御部の記憶部内に形成された測定条件テーブルの記憶内容を示す図
【図７】光ファイバに印加する光パルス及び測定シーケンス図
【図８】同中央制御部の記憶部内に形成されたファイバ測定状態テーブルの記憶内容を示す図
【図９】同中央制御部の記憶部内に形成されたデータファイルの記憶内容を示す図
【図１０】同中央制御部の光ファイバの測定制御動作を示す流れ図
【図１１】同中央制御部の光ファイバの測定制御動作を示すタイムチャート
【図１２】従来の光ファイバ監視システムの模式図
【図１３】従来の光ファイバの測定シーケンス図
【符号の説明】
【００７２】
１…中央局、２…地方局、４…ＯＴＤＲ、５…光スイッチ、６…光パルス、９…通信回線、１２…光ファイバケーブル、１４…光ファイバ、１５…交換装置、１６…中央制御部、１８…操作部、１９…表示部、２０…時計回路、２１…記憶部、２２…測定条件テーブル、２３…ファイバ測定状態テーブル、２４…データファイル、２５…ＯＴＤＲカウンタ、２６…測定光パルス試験器決定部、２７…測定条件設定部、２８…ポーリング時刻算出部、２９…ポーリング実行部、３０…測定果収集手段、３１…設定待ちフラグ設定部、３２…解析部、３３…測定条件メモリ、３４…測定部、３５…制御部
【図１】
2008232849.tif 000003
【図２】
2008232849.tif 000004
【図３】
2008232849.tif 000005
【図４】
2008232849.tif 000006
【図５】
2008232849.tif 000007
【図６】
2008232849.tif 000008
【図７】
2008232849.tif 000009
【図８】
2008232849.tif 000010
【図９】
2008232849.tif 000011
【図１０】
2008232849.tif 000012
【図１１】
2008232849.tif 000013
【図１２】
2008232849.tif 000014
【図１３】
2008232849.tif 000015